(57)【要約】【課題】  投入された硬貨及びＩＣコインが判別装置のケース本体内にて判別することができるため、狭い貸出機本体の内部に余裕のスペースが確保出来、各部品をそれぞれ配置して組み立する際の作業性が向上し、修理や保守作業が容易に短時間のうちに対処することができる、判別装置を提供する。【解決手段】  投入口と、該投入口に連接した傾斜通路と、該傾斜通路の終端の排出口と、が設けられ、前記傾斜通路に硬貨の識別を行う硬貨識別部と、ＩＣコインに書き込まれたデータを読み又は読み書きするＩＣコイン読書き部が設けられている、構成とした。【選択図】      図１
2006095065.tif 000002
【特許請求の範囲】
【請求項１】
投入された硬貨及びＩＣコインを判別する判別装置であって、
投入口と、
前記投入口に連接した傾斜通路と、
前記傾斜通路の終端の排出口と、が設けられ、
前記傾斜通路に、硬貨の識別を行う硬貨識別部と、ＩＣコインに書き込まれたデータを読み又は読み書きするＩＣコイン読書き部が設けられている、構成としたことを特徴とする判別装置。
【発明の詳細な説明】
【技術分野】
【０００１】
本発明は、投入された硬貨及びＩＣコインが判別装置のケース本体内にて判別することができる、判別装置に関する。
【背景技術】
【０００２】
遊技店の遊技島は、複数の遊技台（例えばパチンコ台）と、貨幣を投入して遊技媒体を貸出す遊技媒体貸出機（例えばパチンコ玉貸出機）とを横方向に直線状に配置した構成で構築されている。
通常、パチンコ玉貸出機は、貨幣（紙幣、硬貨）を投入してパチンコ玉を貸出して遊技を開始していたが、昨今のパチンコ玉貸出機においては、カード発券機で購入したＩＣカードやＩＣコイン等の媒体を用いてパチンコ玉を貸出すようになってきている。
【０００３】
例えば、ＩＣコインの媒体に書き込まれている情報（例えば価値情報や発行番号情報等）を読み取り正ＩＣコインと識別するとパチンコ玉を貸出すパチンコ玉貸出機が、例えば下記する特許文献１の「遊技機用ＩＣコイン処理装置および台間機」にて開示されている。
特許文献１の台間機は、貨幣を投入することにより、遊技機用ＩＣコインがその台間機内から発行される。そのため、台間機内には複数枚の遊技機用ＩＣコインが貯留されている。
【特許文献１】特開２００２−１９１８４６号公報
【０００４】
他にもＩＣコインを使用して遊技媒体を貸出す新しいタイプのパチンコ玉貸出機も出現してきている。例えば、図５に示すように新しいタイプのパチンコ玉貸出機１は、貸出機本体１ａに紙幣投入口２と、硬貨およびＩＣコインの共通投入口３と、会員カードを挿入するカード挿入口５と、ＩＣコイン等の返却口４と、玉払出し供給ノズル６と、から大略構成されている。
【発明の開示】
【発明が解決しようとする課題】
【０００５】
しかしながら、上述した新しいタイプのパチンコ玉貸出機においては、狭い貸出機本体の内部のスペースに各部品を配置し、さらに電気的に接続された多くの配線もあることから、組み立てする際、作業し難く、組み立てに時間を要してしまい、その結果コストアップとなっていた。
また、貸出機本体の内部にてＩＣコイン詰まりが生じた際、修理や保守作業に時間と手間がかかり、迅速に対処することが出来なかった。
【０００６】
本発明は、以上の点に鑑みなされたもので、投入された硬貨及びＩＣコインが判別装置のケース本体内にて判別することができるため、狭い貸出機本体の内部に余裕のスペースが確保出来、各部品をそれぞれ配置して組み立する際の作業性が向上し、修理や保守作業が容易に短時間のうちに対処することができる、判別装置を提供することを目的とする。
【課題を解決するための手段】
【０００７】
上記目的は、投入された硬貨及びＩＣコインを判別する判別装置であって、
投入口と、
前記投入口に連接した傾斜通路と、
前記傾斜通路の終端の排出口と、が設けられ、
前記傾斜通路に、硬貨の識別を行う硬貨識別部と、ＩＣコインに書き込まれたデータを読み又は読み書きするＩＣコイン読書き部が設けられている、構成としたことによって達成される。
【発明の効果】
【０００８】
本発明の構成によれば、判別装置のケース本体内に硬貨識別部とＩＣコイン読書き部とが設けられているため、投入された硬貨は硬貨識別部にて識別され、投入されたＩＣコインはＩＣコイン読書き部にて読み又は読み書きが行われる。そのため、狭い貸出機本体の内部にスペース（余裕）を確保することができるので各部品をそれぞれ配置して組み立する際の作業性が向上することによりコストダウンとなり、また、修理や保守作業においても容易に短時間のうちに対処することができる。
【発明を実施するための最良の形態】
【０００９】
図１乃至図４は本発明の判別装置を示す外観斜視図であり、図５は本発明の判別装置を搭載したパチンコ玉貸出機の外観正面図である。
【実施例１】
【００１０】
本発明の判別装置は、例えばＩＣコイン及び硬貨を使用した自動販売機等に搭載されるものである。ここでの実施形態は、例えば遊技店の遊技島に設置されたパチンコ玉貸出機に搭載した例に基づいて説明するが、メダル貸出機でも良く、これらに限定されるものでない。
【００１１】
先ず、パチンコ玉貸出機の構成について説明する。尚、従来の説明にて用いた同じ符号にて説明する（図５参照）。
パチンコ玉貸出機１は、貸出機本体１ａに紙幣投入口２と、硬貨およびＩＣコインの共通投入口３と、会員カードを挿入するカード挿入口５と、ＩＣコイン等の返却口４と、玉払出し供給ノズル６と、から大略構成されている。
貸出機本体１ａの内部には、紙幣投入口２に投入された紙幣を識別する紙幣識別機と、共通投入口３に投入された硬貨及びＩＣコインを判別する判別装置１０と、所定数のパチンコ玉を計数する貸玉計数機と、判別装置１０にて識別エラーとなったＩＣコインを返却するＩＣコイン処理用通路と、判別装置１０にて偽硬貨と識別した硬貨を返却する硬貨処理用通路とが備えられている。ＩＣコイン処理用通路と硬貨処理用通路から返却されるＩＣコインと硬貨はＩＣコイン等の返却口４に返却される。また、制御基板等からなる制御部も備えられている。尚、貸出機本体１ａの内部構成については、判別装置以外は図を省略している。
【００１２】
紙幣投入口２は、貸出機本体１ａの上方側に設けられ、複数金種（流通紙幣）の紙幣が投入され、内部の紙幣識別機にて金種及び正偽が識別される。共通投入口３は、紙幣投入口２の下側に設けられ、１００円硬貨と５００円硬貨が投入されると共にＩＣコインも投入でき、内部の判別装置１０にて硬貨の正偽の識別及びＩＣコインの情報が読み取られる。
ＩＣコインは、５００円硬貨と略同じ大きさの丸形状から成り、ＥＥＰＲＯＭ（電気的に消去可能なプログラマブル・リードオンリー・メモリ）が内蔵されていて、非接触でＩＣコイン読書き部と通信可能に構成されている。
ＩＣコイン等の返却口４は、貸出機本体１ａの下方側に設けられ、判別装置１０にて識別エラーになったＩＣコインと、判別装置１０にて偽硬貨と識別した硬貨が返却される。尚、ＩＣコイン等の返却口４には、硬貨、ＩＣコインが零れないように受部が形成されている。カード挿入口５は、遊技客がその遊技店の会員に成った時、該会員カードを投入する投入口であり、会員の特典が得られる。６は、玉払出し供給ノズルで、貸出機本体１ａ内の貸玉計数機から計数されたパチンコ玉が隣接した遊技台の上皿に零れることなく供給できる長さを有している。尚、ここでは玉払出し供給ノズル６を介して遊技台の上皿に供給する構成としたが、遊技台の賞球払出し機から上皿に直接供給する構成としても良い。
【００１３】
遊技するにあたって、例えば遊技客が共通投入口３に５００円硬貨を投入すると内部の判別装置１０にて正偽が識別され、正硬貨と識別すると貸玉計数機が作動して所定数（例えば１２５発）のパチンコ玉が払い出され、玉払出し供給ノズル６にて上皿内に供給される。尚、判別装置１０にて偽硬貨と識別された硬貨はＩＣコイン等の返却口４に返却される。
また、例えば遊技客が上方側に設けられた紙幣投入口２に千円紙幣を投入すると内部の紙幣識別機にて金種及び正偽が識別され、正紙幣と識別すると貸玉計数機が作動して所定数（例えば２５０発）のパチンコ玉が払い出され、玉払出し供給ノズル６にて上皿内に供給される。尚、紙幣識別機にて偽紙幣と識別された紙幣は紙幣投入口２に返却される。
【００１４】
さらに、遊技するにあたって、例えば遊技客が上方側に設けられた紙幣投入口２に五千円紙幣を投入すると内部の紙幣識別機にて金種及び正偽が識別される。ここでの処理は、千円紙幣の時の貸玉処理とは異なり、紙幣識別機で正紙幣と識別すると貸玉計数機が作動して設定された貸玉単位数（例えば５００円設定）分のパチンコ玉が払い出され、玉払出し供給ノズル６にて上皿内に供給される。
この時、残高である、４５００円相当の残高データ（価値情報）は、制御部にて記憶されており、この時、返却ボタン７を操作するとＩＣコイン読書き部１５にて残高データ（価値情報）を書き込んだＩＣコインがＩＣコイン等の返却口４に排出される。ここで、遊技客が返却ボタン７を操作せず、遊技を続ける場合、制御部にて記憶されている残高の範囲内で継続して貸出すことができる。
尚、上述においては、残高がある場合、ＩＣコインにＩＣコイン読書き部１５にて残高データ（価値情報）を書き込んで排出する説明としたが、残高データ（価値情報）を書き込まず、ＩＣコイン等の返却口４に排出するようにしても良い。
【００１５】
次に、本発明の要旨である判別装置１０の構成について説明する。
判別装置１０（ケース本体１０ａ）は、投入口１１ａと、該投入口１１ａに投入された硬貨及びＩＣコインが通過する傾斜通路１２（上流側通路１２ａ及び下流側通路１２ｂ）と、投入された硬貨の識別を行う硬貨識別部１３と、投入されたＩＣコインに書き込まれたデータ（価値情報や発行番号情報）を読み又は読書きするＩＣコイン読書き部１５と、硬貨及びＩＣコインが落下する排出口１１ｂと、から大略構成されている（図１参照）。
本発明の判別装置１０においては、ケース本体１０ａの傾斜通路１２内に硬貨識別部１３と、ＩＣコイン読書き部１５とが間隔をあけて設けられている。
尚、後述するがＩＣコイン読書き部１５は、ＩＣコインに書き込まれたデータ（価値情報）を読み書きする、又はＩＣコインに書き込まれたデータ（発行番号情報）を読むだけのものであっても良い。
【００１６】
図１に示すようにケース本体１０ａは、例えば合成樹脂材等から略正方形状に形成されたもので、一方側に軸支されたケース本体カバー（不図示）が設けられ、開閉自在と成している。
ケース本体１０ａの上端一方寄りの位置には、上述した共通投入口３から投入された硬貨およびＩＣコインを内部に導く開口した投入口１１ａが設けられている。
ケース本体１０ａの下端一方寄りの位置には、後述する傾斜通路１２を通過していった硬貨およびＩＣコインを排出させる開口した排出口１１ｂが設けられている。この排出口１１ｂには後述する内外に振り分けるフラッパ１７が備えられている。
【００１７】
１２は傾斜通路であり、逆くの字状で硬貨及びＩＣコインがスムーズに落下していく通路幅から成り、投入口１１ａに連接して傾斜する上流側通路１２ａと、排出口１１ｂに導くよう傾斜する下流側通路１２ｂと、から形成されている。
傾斜通路１２の上流側通路１２ａの中央付近には、共通投入口３から投入された硬貨（例えば１００円硬貨、５００円硬貨）を識別する硬貨識別部１３が設けられている。
例えば、硬貨識別部１３は、電気的な構成（例えば電流値等）によって通過する硬貨の材質、厚み等を検出して硬貨を識別している。尚、硬貨識別部は他に磁気式や光学式のものを採用しても良い。
ここでの硬貨識別部１３は、傾斜通路１２の上流側通路１２ａを通過していく過程において正偽の識別を行っている。
【００１８】
ＩＣコイン読書き部１５の付近には、上側の第２出没部１４ｂと下側の第１出没部１４ａとから成る出没部１４が設けられている。該出没部１４は、出没自在のピン状から成り、間隔をおいて下流側通路１２ｂの通路幅の略中央に穿設された各穴から出没する。
この出没部１４は、共通投入口３から投入された複数枚の硬貨を一時停止させるためのものであり、また、後述するＩＣコイン読書き部１５にてＩＣコインの情報（価値情報や発行番号情報）を読み又は読書きする際、第１出没部１４ａにてＩＣコインを一時停止させるためのものであり、さらに連続して傾斜通路１２内をＩＣコインが落下した際、後続のＩＣコインを第２出没部１４ｂにて一時停止させるためのものでもある。
上述した出没部１４は、投入口１１ａから投入してきた硬貨及びＩＣコインを確実に一時停止（ストッパの役割）させるためのものである。尚、出没部の構成（出没ピン）も、場所も限定するものでない。
【００１９】
下流側通路１２ｂの中央付近には、共通投入口３から投入されたＩＣコインに書き込まれている情報（価値情報や発行番号情報）を読み又は読み書きするＩＣコイン読書き部１５が設けられている。
先ず、ＩＣコイン読書き部１５での価値情報における処理（読み書き）について説明する。
投入されたＩＣコインに書き込まれている価値情報の場合、ＩＣコインが投入口１１ａから傾斜通路１２の上流側通路１２ａを流下し、硬貨識別部１３にて硬貨と判別しないので、出没部１４の第１出没部１４ａが突出して停止する。この停止状態の時、ＩＣコインに書き込まれている価値情報がＩＣコイン読書き部１５にて読書きが行われる。
【００２０】
次に、ＩＣコイン読書き部１５での発行番号情報における処理（読み）について説明する。
投入されたＩＣコインに書き込まれている発行番号情報の場合、ＩＣコインが投入口１１ａから傾斜通路１２の上流側通路１２ａを流下し、硬貨識別部１３にて硬貨と判別しないので、出没部１４の第１出没部１４ａが突出して停止する。この停止状態の時、ＩＣコインに書き込まれている発行番号情報がＩＣコイン読書き部１５にて読み取られる。
この読み取られた情報（発行番号情報）が、管理サーバ側（不図示）に記憶されている発行番号情報及び価値情報と合致しているか確認（チェック）される。ここでのＩＣコインには価値情報が書き込まれておらず、発行番号情報のみが書き込まれていて、管理サーバ側に、ＩＣコインに書き込まれている情報（価値情報や発行番号情報）が記憶されている。
【００２１】
下流側通路１２ｂの終端付近には、返却部材１６（第１返却部材１６ａ及び第２返却部材１６ｂ）が上下の位置に設けられている（図３参照）。
ここでは返却部材１６の第１返却部材１６ａ側のみが突出（出没）するように成している。尚、第２返却部材１６ｂはガイドの役割をする。
この第１返却部材１６ａは、上述した硬貨識別部１３にて偽硬貨と識別した際、ＩＣコイン等の返却口４に導くために突出するものであり、常時突出していない。硬貨識別部１３にて偽硬貨と識別した際、第１返却部材１６ａが突出した状態と成り、傾斜通路１２を落下していく硬貨を排出することによりＩＣコイン等の返却口４側に硬貨が返却される。
同様に第１返却部材１６ａは、上述したＩＣコイン読書き部１５にて不良ＩＣコインと判別した際、ＩＣコイン等の返却口４に導くために突出するものであり、常時突出していない。ＩＣコイン読書き部１５にて不良ＩＣコインと判別した際、第１返却部材１６ａが突出した状態と成り、傾斜通路１２を落下していくＩＣコインを排出することによりＩＣコイン等の返却口４側にＩＣコインを返却させる。
【００２２】
排出口１１ｂには硬貨及びＩＣコインを内外に振分ける切替えフラッパ１７が備えられている。
例えば、傾斜通路１２を通過し、硬貨識別部１３にて正硬貨と識別した際、正硬貨を内部に取り込み回収装置側へと導き、又は傾斜通路１２を通過してきたＩＣコインがＩＣコイン読書き部１５にて正ＩＣコインと判別した際、正ＩＣコインを内部に取り込むためのものであり、ソレノイド機構等による振分機構が設けられている（不図示）。
尚、図示しないが切替えフラッパ１７の下方にさらに振分機構を設けることにより、種類別（１００円、５００円別々に）に硬貨を回収することもできる。
【００２３】
判別装置１０における硬貨及びＩＣコインの作用について説明する。
先ず、硬貨での処理について説明する。ここでは５００円硬貨として説明する。
遊技客が、パチンコ玉貸出機１の共通投入口３に５００円硬貨（１枚）を投入すると、共通投入口３に連接された投入通路を通って判別装置１０の投入口１１ａ内へと導かれる。硬貨は、投入口１１ａから入り傾斜通路１２の上流通路１２ａ内を流下していく過程において、この上流通路１２ａ内に設けられた硬貨識別部１３にて正偽硬貨が識別される。硬貨識別部１３にて正硬貨と識別すると、貸玉計数機が作動して所定数（例えば１２５発）のパチンコ玉が払い出されると共に正硬貨は傾斜通路１２内の下流側通路１２ｂを通過していき、回収装置側へと導かれる。この時、切替えフラッパ１７は回収装置側に導く方向に切替えられている（図２参照）。
硬貨識別部１３にて偽硬貨と識別すると、偽硬貨も傾斜通路１２内の下流側通路１２ｂを通過していくがその過程においてＩＣコイン等の返却口４側へと導かれる。この時、返却部材１６の第１返却部材１６ａが突出することにより偽硬貨はＩＣコイン等の返却口４側の方向に排出される（図３参照）。
【００２４】
硬貨における連続投入処理について説明する。
遊技客が、パチンコ玉貸出機１の共通投入口３に５００円硬貨（複数枚：２枚）を投入すると、１枚目の硬貨は、共通投入口３に連接された投入通路を通って判別装置１０の投入口１１ａ内へと導かれ、１枚目の硬貨は傾斜通路１２ａ内を流下していく過程において、硬貨識別部１３にて正偽硬貨を識別し処理され、１枚目の硬貨が通過した後、２枚目の硬貨が硬貨識別部１３にて正偽硬貨を識別する際は、第１出没部１４ａが突出して一時停止させることで飲み込みを防止している。
【００２５】
次に、ＩＣコインの処理について説明する。
ＩＣコインには情報（価値情報や発行番号情報）が書き込まれている例を説明する。
遊技客が、パチンコ玉貸出機１の共通投入口３にＩＣコインを投入すると、共通投入口３に連接された投入通路を通って判別装置１０の投入口１１ａ内へと導かれる。ＩＣコインは、投入口１１ａから入り傾斜通路１２の上流通路１２ａ内を流下していく過程において硬貨識別部１３で硬貨でないと判断すると、下側の第１出没部１４ａが突出し、ＩＣコインが一時停止する。この時、後続のＩＣコインがある場合、後続のＩＣコインは突出している第２出没部１４ｂにて一時停止する。
そして、先に投入され、第１出没部１４ａに停止しているＩＣコインは、ＩＣコイン読書き部１５にてＩＣコインの情報（価値情報や発行番号情報）が読み取られ、ＩＣコイン読書き部１５にて正ＩＣコインと判別すると、貸玉計数機が作動して設定された分（例えば１２５発）のパチンコ玉が払い出されると共にＩＣコインの残高データ（価値情報）が書き換えられる。
【００２６】
上記ＩＣコイン読書き部１５にてＩＣコインを判別した時、不良ＩＣコインや受付外のコインと判別すると、第１出没部１４ａが凹むと同時に返却部材１６の第１返却部材１６ａが突出する。よって、流下していく不良ＩＣコインは、上側の第１返却部材１６ａにより傾斜通路１２から外側に排出され、ＩＣコイン等の返却口４側にＩＣコインが返却される（図３参照）。
【００２７】
次に、ＩＣコインには情報（発行番号情報のみ）が書き込まれている例を説明する。
共通投入口３にＩＣコインを投入すると、該共通投入口３に連接された投入通路を通って判別装置１０の投入口１１ａ内へと導かれる。ＩＣコインは、投入口１１ａから入り傾斜通路１２の上流通路１２ａ内を流下していく過程において硬貨識別部１３で硬貨でないと判断すると、下側の第１出没部１４ａが突出し、ＩＣコインが一時停止する。この時、後続のＩＣコインがある場合、後続のＩＣコインは突出している第２出没部１４ｂにて一時停止する。
先に投入され、第１出没部１４ａに停止しているＩＣコインは、ＩＣコイン読書き部１５にてＩＣコインの情報（発行番号情報）が読み取られ、管理サーバ側で記憶している管理データ（発行番号による価値情報等）にて確認される。
確認後、正ＩＣコインと判別すると、貸玉計数機が作動して設定された分（例えば１２５発）のパチンコ玉が払い出されると共に管理サーバ側には減算した価値情報（残高データ）が記憶される。以降、残高が残っている範囲内で貸出しが継続して行われる。
【００２８】
上述した説明においては、上流側通路に硬貨の識別を行う硬貨識別部を、下流側通路にＩＣコインに書き込まれているデータを読み又は読み書きするＩＣコイン読書き部を、間隔をおいて設けたが、上流側通路にＩＣコインに書き込まれているデータを読み又は読み書きするＩＣコイン読書き部を、下流側通路に硬貨の識別を行う硬貨識別部を、間隔をおいて設けたものであっても良く設置場所に限定されるものでない。
【図面の簡単な説明】
【００２９】
【図１】本発明の判別装置を示す外観斜視図である。
【図２】本発明の判別装置であり、硬貨の処理状態を示す外観斜視図である。
【図３】本発明の判別装置であり、返却処理状態を示す外観斜視図である。
【図４】本発明の判別装置であり、ＩＣコインの処理状態を示す外観斜視図である。
【図５】本発明の判別装置を搭載したパチンコ玉貸出機を示す正面図である。
【符号の説明】
【００３０】
１０    判別装置
１１ａ  投入口
１１ｂ  排出口
１２    傾斜通路
１２ａ  上流側通路
１２ｂ  下流側通路
１３    硬貨識別部
１５    ＩＣコイン読書き部
【図１】
2006095065.tif 000003
【図２】
2006095065.tif 000004
【図３】
2006095065.tif 000005
【図４】
2006095065.tif 000006
【図５】
2006095065.tif 000007